(57)【特許請求の範囲】
【請求項１】
人の髪の毛である人毛を既に設定された長さに切断する切断段階； 
切断された複数の上記人毛を広げて一列に配列させる整列段階； 
上記人毛が離脱しないように、配列された複数の上記人毛を固定パッドに取付けて固定させる固定段階；及び、
上記人毛の長手方向両側部に、端部に行くほど細くなるテーパ部を備えるように、研磨ローラを備えた研磨部材を用いて上記人毛の側部がとがるように研磨する研磨段階を含み、
上記固定段階において、
端部が丸く硬い整列部材を用いて上記固定パッドの上面をこすることにより、上記人毛を均一に放射させて固定する、かつら用毛髪の加工方法。
【請求項２】
上記切断段階前に、
上記人毛の厚さが薄くなるように、上記人毛の表面に備えられた毛表皮を化学的処理により除去する化学処理段階をさらに含む、請求項１に記載のかつら用毛髪の加工方法。
【請求項３】
上記固定段階において、
上記固定パッドは、配列された複数の上記人毛の両側面に互いに向き合うように取り付けられる、請求項１または２に記載のかつら用毛髪の加工方法。
【請求項４】
上記固定段階において、
上記固定パッドは、上記人毛の両端部から中心方向に既に設定された距離だけの領域を除いた領域に取付けられ、上記人毛の長手方向に複数個が備えられる、請求項１または２に記載のかつら用毛髪の加工方法。
【請求項５】
上記研磨段階は、上記人毛と上記研磨ローラがなす角度を変更して、上記テーパ部の長さを調節する、請求項１から４の何れか１項に記載のかつら用毛髪の加工方法。
【請求項６】
上記研磨段階は、上記人毛を、上記研磨ローラの回転方向に平行な方向に配列して研磨する第１研磨段階を含む、請求項１から５の何れか１項に記載のかつら用毛髪の加工方法。
【請求項７】
上記研磨段階は、上記人毛を、上記研磨ローラの回転方向に垂直な方向に配列して研磨する第２研磨段階を含む、請求項６に記載のかつら用毛髪の加工方法。
【請求項８】
人の髪の毛である人毛を加工する毛髪の加工段階；及び、
着用者の頭上を包み込むベース部に、上記毛髪の加工段階で加工された上記人毛を植毛する植毛段階を含み、
上記毛髪の加工段階は、
上記人毛を既に設定された長さに切断する切断段階； 
切断された複数の上記人毛を広げて一列に配列させる整列段階； 
上記人毛が離脱しないように、配列された複数の上記人毛を固定パッドに取付けて固定させる固定段階；及び、
上記人毛の両側部に端部に行くほど細くなるテーパ部を備えるように、研磨ローラを備えた研磨部材を用いて上記人毛の側部がとがるように研磨する研磨段階を含み、
上記固定段階において、
端部が丸く硬い整列部材を用いて上記固定パッドの上面をこすることにより、上記人毛を均一に放射させて固定する、かつら用毛髪の加工方法を用いたかつらの製造方法。
【発明の詳細な説明】
【技術分野】
【０００１】  本発明は、かつら用毛髪の加工方法、この加工方法を用いたかつらの製造方法及び製造されたかつらに関するものであり、さらに詳細には、人毛を加工して実際の人の髪の毛と類似するように製作するかつら用毛髪の加工方法、この加工方法を用いたかつらの製造方法及び製造されたかつらに関するものである。
【背景技術】
【０００２】  かつらは薄厚のネットに一連の毛を編んで形成された完成ネットを使用して製造されるもので、髪がない該当部分または頭全体に着用して着用者のヘアスタイルを引き立たせる役割をする。【０００３】  このようなかつらの中には、かつらを装着したときに、毛髪の色調が自然な感じで変化して自然な外観を有するようにするため、長さ及び色が異なる複数の毛髪を根本側の一端を揃えて無作為に混ぜ合わせ、髪梳き動作により毛髪の先端を不揃いにした状態で一つに束ねたかつら用毛髪が提案されている（例えば、特許文献１参照）。【０００４】
【特許文献１】特開２００２−２７５７１９号公報
【発明の概要】
【発明が解決しようとする課題】
【０００５】  特許文献１に記載のかつら用毛髪では、毛髪の色調を自然な感じで変化させるとはできるが、かつら製作のために切断された毛は、毛先が太い形態である場合が大部分であるため、人の髪の毛のように毛先に行くほどタケノコ模様のようにとがった形態を有した自然な演出をするのに限界がある。【０００６】  特に、人の髪の毛のうち、額とうなじ部分と耳上部分等は、うぶ毛のように細く毛先に行くほどとがった形態を有するが、一般的に切断された毛を使用してかつらを製作する場合、このような自然な毛髪を演出しにくいという問題がある。【０００７】  本発明は、前述した問題点を解決するために案出されたもので、人毛の人為的な加工で、終端に行くほどとがる髪の毛を製作して、かつらに適用する際に自然な頭髪の形態を有した髪の毛を演出するかつら用毛髪の加工方法、この加工方法を用いたかつらの製造方法及び製造されたかつらを提供することを目的とする。【０００８】  また、本発明は、人毛を化学処理して毛表皮を除去することにより自然な毛を製作するかつら用毛髪の加工方法、この加工方法を用いたかつらの製造方法及び製造されたかつらを提供することを目的とする。【０００９】  また、本発明は、人毛を均一に研磨するかつら用毛髪の加工方法、この加工方法を用いたかつらの製造方法及びかつらを提供することを目的とする。
【課題を解決する手段】
【００１０】  上記した問題を解決するために、本発明の１つの実施態様によるかつら用毛髪の加工方法は、人の髪の毛である人毛を既に設定された長さに切断する切断段階と、切断された複数の上記人毛を広げて一列に配列させる整列段階と、上記人毛が離脱しないように、配列された複数の上記人毛を固定パッドに取付けて固定させる固定段階と、上記人毛の長手方向両側部に、端部に行くほど細くなるテーパ部を備えるように、研磨ローラを備えた研磨部材を用いて上記人毛の側部がとがるように研磨する研磨段階と、を含む。
【００１１】  本発明の１つの実施態様によるかつら用毛髪の加工方法を用いたかつらの製造方法は、人の髪の毛である人毛を加工する毛髪の加工段階と、着用者の頭上を包み込むベース部に、上記毛髪の加工段階で加工された上記人毛を植毛する植毛段階と、を含み、上記毛髪の加工段階は、上記人毛を既に設定された長さに切断する切断段階と、切断された複数の上記人毛を広げて一列に配列させる整列段階と、上記人毛が離脱しないように、配列された複数の上記人毛を固定パッドに取付けて固定させる固定段階と、上記人毛の両側部に端部に行くほど細くなるテーパ部を備えるように、研磨ローラを備えた研磨部材を用いて上記人毛の側部がとがるように研磨する研磨段階と、を含む。
【００１２】  本発明のその他の実施態様によるかつら用毛髪の加工方法は、人の髪の毛である人毛を既に設定された長さに切断する切断段階と、切断された複数の人毛からなる毛束において、筆の穂先のように、中央が凸となった略対称な曲線形状を有するように人毛を配置して固定する毛束固定段階と、回転する研磨ローラに筆状の毛束の先端を当て、毛束を回転させながら満遍なく毛先の角を削る毛束研磨段階と、を含む。
【００１３】  本発明のその他の実施態様によるかつら用毛髪の加工方法を用いたかつらの製造方法は、人の髪の毛である人毛を加工する毛髪の加工段階と、着用者の頭上を包み込むベース部に、上記毛髪の加工段階で加工された上記人毛を植毛する植毛段階と、を含み、上記毛髪の加工段階は、人の髪の毛である人毛を既に設定された長さに切断する切断段階と、切断された複数の人毛からなる毛束において、筆の穂先のように、中央が凸となった略対称な曲線形状を有するように人毛を配置して固定する毛束固定段階と、回転する研磨ローラに筆状の毛束の先端を当て、毛束を回転させながら満遍なく毛先の角を削る毛束研磨段階と、を含む。
【００１４】  本発明の他の実施態様によるかつらは、ネット形態を含むベース部と、上記ベース部に植毛され、人の髪の毛を加工して設けられ、端部に行くほど細くなるテーパ部を備えた人毛を含む。
【発明の効果】
【００１５】  このように本発明の上記実施態様によるかつら用毛髪の加工方法によると、人の髪の毛である人毛を人為的に加工して、終端に行くほどとがった髪の毛を製作することができる。これによって実際の人の髪の毛に近い形態の毛髪を製作することにより、かつらの適用時に自然な頭髪の形態を有した髪の毛の演出を可能にすることができる。
【００１６】  また、本実施態様によると、特に額部分と、うなじ、耳上部分等の髪の毛が始まる部分の、毛先に行くほど細くなるうぶ毛のような髪の毛と類似した形体の毛を製作することができる。
【００１７】また、本実施態様によると、人毛を研磨する前に、人毛を化学処理して毛表皮を除去することにより自然な毛を演出することができる。
【００１８】また、本実施態様によると、研磨段階では一列に配列されて固定された人毛は多様な角度で研磨し、前、後ろ、上、下側が均一に研磨されるようにする、または筆状の毛束を回しながらその先端を研磨することにより、自然な毛の形態に加工することができる。
【図面の簡単な説明】
【００１９】
【図１】本発明の一実施形態によるかつら用毛髪の加工方法の切断段階を図示した図面である。
【図２】本発明の一実施形態によるかつら用毛髪の加工方法の整列段階と固定段階を図示した図面である。
【図３】図２に図示された固定段階の変形形態を図示した図面である。
【図４】本発明の一実施形態によるかつら用毛髪の加工方法の第１研磨段階を図示した図面である。
【図５】本発明の一実施形態によるかつら用毛髪の加工方法の第２研磨段階を図示した図面である。
【図６】本発明の一実施形態によるかつら用毛髪の加工方法により加工された人毛を図示した図面である。
【図７】本発明の一実施形態によるかつら用毛髪の加工方法のフローチャートである。
【図８】本発明のその他の実施形態によるかつら用毛髪の加工方法のフローチャートである。
【図９】その他の実施形態によるかつら用毛髪の加工方法において、人毛の端部の領域にテーパ部を形成する方法を図示した図面である。
【図１０】（ａ）は人毛がスキン網に植毛された状態を表示した図面であり、図８の（ｂ）は人毛がネット網に植毛された状態を表示した図面であり、図８の（ｃ）は人毛がパッチ部に植毛された状態を表示した図面である。
【発明を実施するための形態】
【００２０】  以下、添付された図面に従って本発明の望ましい実施形態を詳細に説明する。
【００２１】  先ず、以下で説明される実施形態等は、本発明であるかつら用毛髪の加工方法とこれを用いたかつらの製造方法及びかつらの技術的な特徴を理解させるのに適合した実施形態等である。但し、本発明が以下で説明される実施形態に限定して適用されたり、説明される実施形態等によって本発明の技術的特徴が制限されるわけではなく、本発明の技術範囲内で多様な変形実施が可能である。
【００２２】（一実施形態によるかつら用毛髪の加工方法）  図１乃至図７を参照すると、本発明の一実施形態によるかつら用毛髪の加工方法は、切断段階（Ｓ１２０）と、整列段階（Ｓ１３０）と、固定段階（Ｓ１４０）と、研磨段階（Ｓ１５０）と、を含むことができる。
【００２３】  先ず、図１に図示された実施形態のように、切断段階（Ｓ１２０）は、人の髪の毛である人毛（１）を既に設定された長さに切断することで実施できる。
【００２４】  具体的には、複数の人の髪の毛を、製作しようとするかつら（１０）の毛髪の長さを考慮した長さに切断することで実施できる。ここで、切断時に使用する切断部材（２）として、切断はさみ等を使用することができるが、これに限定するわけではない。
【００２５】  整列段階（Ｓ１３０）は、切断された複数の人毛（１）を広げて一列に配列させることで実施できる。複数の人毛（１）を最大限広く放射させて、後述する研磨段階（Ｓ１５０）で複数の毛が均一に研磨されるようにすることができる。
【００２６】  図２及び図３に図示された実施形態のように、固定段階（Ｓ１４０）は、人毛（１）が離脱しないように、配列された複数の人毛（１）を固定パッド（３）に取付けて固定することができる。
【００２７】  例えば、固定パッド（３）は一面に接着剤が塗布された紙テープの場合があり得る。そして、複数の人毛（１）は広く整列されて、固定パッド（３）の接着剤が塗布された面に取付け固定されることができる。これによって、後述する研磨段階（Ｓ１５０）での研磨過程で、人毛（１）が離脱することを防止することができる。但し、固定パッド（３）は、紙テープに限定するわけではなく、複数の人毛（１）を整列した状態で固定することができれば、多様な変形実施が可能である。
【００２８】  このとき、紙テープに人毛（１）を取り付けたあと、端部が丸く固い整列部材（６）を用いて紙テープ上面をこすることにより、紙テープに取付けられた人毛（１）を均一に放射させてしっかりと固定することができる。
【００２９】  図４及び図５を参照すると、研磨段階（Ｓ１５０）は、人毛（１）の長手方向両側部に、端部に行くほど細くなるテーパ部（１ａ）を備えるように、研磨ローラ（４ａ）を備えた研磨部材（４）を用いて人毛（１）の側部がとがるように研磨することで実施できる。
【００３０】  具体的に、研磨段階（Ｓ１５０）は、研磨ローラ（４ａ）を適正速度以上に回転させながら、固定パッド（３）に取付けられて固定された複数の人毛（１）を接触させて、人毛（１）の端部をとがるように研磨することで実施できる。このように、人毛（１）の端部を研磨して、人毛（１）に端部が先に行くほど細くなる形態であるテーパ部（１ａ）を形成することができる。ここで、研磨部材（４）は適正速度以上に回転する研磨石グラインダーでもあり得て、研磨ローラ（４ａ）の回転速度は一例として２９００ＲＰＭ以上であり得るが、これに限定するわけではない。
【００３１】  このように、本発明の一実施形態によるかつら用毛髪の加工方法を用いれば、人の髪の毛である人毛（１）を人為的に加工して、毛先に行くほどとがった髪の毛を製作することができる。これによって実際の人の髪の毛に近い形態の毛髪を製作することにより、かつら（１０）に適用する際に自然な頭髪の形態を有した髪の毛の演出を可能にすることができる。
【００３２】  特に、額部分と、うなじ、耳上部分等の髪の毛が始まる部分の、毛先に行くほど細くなるうぶ毛のような髪の毛と類似した形態の毛を製作することができる。
【００３３】  また、本発明によるかつら用毛髪の加工方法は、化学処理段階（Ｓ１１０）をさらに含むことができる。化学処理段階（Ｓ１１０）は、人毛（１）の厚さが薄くなるように、人毛（１）の表面に備えられた毛表皮を化学的処理により除去することができる。
【００３４】  具体的に、実際の人の髪の毛の場合、特定部位は他の部分に比べ薄く毛先に行くほどタケノコのようにとがった形態を有する。特に、額部分と、うなじ、耳上部分等の髪の毛が始まる部分の場合、他の部分よりも太さが細い。従って、かつら（１０）の場合にもこのような部分に適用される毛を細く製作すれば、全体的に自然な形態のかつら（１０）を演出することができる。
【００３５】  本発明による化学処理段階（Ｓ１１０）は、人毛（１）の切断段階（Ｓ１２０）の前に、人毛（１）を化学剤で処理して、人毛（１）を化学的に減量させる作業を先行することができる。例えば、次亜塩素酸ナトリウム（ＮａＯＣｌ）と、硫酸（Ｈ２ＳＯ４）を水に希釈させた化学剤を準備し、このような化学剤に人毛（１）を適正時間と適正回数（一例として、約５分間３回程度）浸して、人毛（１）の表面に備えられた毛表皮（例えばキューティクル等）を除去することにより、人毛（１）を細くすることができる。
【００３６】これによって、人毛（１）を細くすることにより、柔らかく自然な毛を作ることができる。
【００３７】  但し、上記した化学処理段階（Ｓ１１０）で使用される化学剤は上記した一例に限定するわけではなく、人毛（１）を化学的に処理して毛を細くすることができれば、多様な化学剤が適用されることができる。
【００３８】  一方、図２に図示された実施形態を参照すると、固定段階（Ｓ１４０）において、固定パッド（３）は、人毛（１）の両端部から中心方向に既に設定された距離だけ（Ｌ１，Ｌ２）の領域を除いた領域に取付けられ、人毛（１）の長手方向に複数個が備えることができる。
【００３９】  具体的に、固定パッド（３）は、一列に配列された人毛（１）等の中間に取付けられ、２以上に取り付けられることができる。これによって、人毛（１）の固定力を増大させて、安定的で均一に研磨することができる。また、複数の固定パッド（３）を人毛（１）の端部から所定距離（Ｌ１，Ｌ２）だけを除いた領域に取付けることができ、このような端部の領域の人毛（１）は研磨段階（Ｓ１５０）で研磨してテーパ部（１ａ）に形成することができる。
【００４０】  但し、人毛（１）を固定する固定パッド（３）の数と、取り付けられる位置は上記したことに限定するわけではなく、人毛（１）の量等によって多様な変形実施が可能である。
【００４１】  また、図３に図示された実施形態を参照すると、固定段階（Ｓ１４０）において、固定パッド（３）は、配列された複数の人毛（１）の両側面に互いに向き合うように取り付けられることができる。
【００４２】  即ち、複数の人毛（１）は広く配列されて仮想の面をなすことができ、固定パッド（３）はこのような仮想の面の一側面と他側面に同時に取付けられるが、仮想の面に一側面に取付けられる固定パッド（３ａ）と、他側面に取付けられる固定パッド（３ｂ）は互いに向き合うように取り付けられることができる。これによって、固定パッド（３）は、人毛（１）等が離脱したり移動したりしないように、さらにしっかりと固定することができる。
【００４３】  一方、図４を参照すると、研磨段階（Ｓ１５０）は、人毛（１）と研磨ローラ（４ａ）がなす角度（θ、図４参照）を変更して、テーパ部（１ａ）の長さを調節することができる。即ち、人毛（１）と研磨ローラ（４ａ）がなす角度（θ）を大きくするとテーパ部（１ａ）の長さが短くなり得、人毛（１）と研磨ローラ（４ａ）がなす角度（θ）を小さくすると、人毛（１）と研磨ローラ（４ａ）が接触される部位が広くなるため、テーパ部（１ａ）の長さが長くなり得る。  
【００４４】  図４及び図５を参照すると、研磨段階（Ｓ１５０）において、人毛（１）を研磨ローラ（４ａ）に多様な方向に研磨することにより、人毛（１）が一方だけ研磨されずに自然に細くなるようにすることができる。図４には第１研磨段階が図示され、図５には第２研磨段階が図示される。
【００４５】  例えば、図４を参照すると、第１研磨段階は、人毛（１）を、研磨ローラ（４ａ）の回転方向（Ａ）に平行な方向に配列して研磨することができる。ここで、人毛（１）等を反対方向に回して前、後ろに研磨することができる。
【００４６】  図５を参照すると、第２研磨段階は、人毛（１）を、研磨ローラ（４ａ）の回転方向（Ａ）に垂直な方向に配列して研磨することができる。即ち、図４に図示された人毛（１）等を９０度に回転して研磨し、上下を交代に研磨することによりさらに自然に研磨することができる。但し、本発明による研磨段階（Ｓ１５０）における研磨方法は、図４及び図５に図示された実施形態に限定するわけではなく、毛を均一に研磨することができれば、多様な方向と角度に変形実施することができる。
【００４７】  このように、研磨段階（Ｓ１５０）では第１研磨段階と第２研磨段階を含んで、一列に配列して固定された人毛（１）等を多様な角度で研磨し、前、後ろ、上、下側が均一に研磨されるようにすることにより、自然な毛の形態に加工することができる（図６参照）。
【００４８】（その他の実施形態によるかつら用毛髪の加工方法）  人毛の端部の領域にテーパ部を有するかつら用毛髪の加工方法は、上記の実施形態に限られるものではない。以下に、図８及び図９を参照しながら、本発明のその他の実施形態によるかつら用毛髪の加工方法の説明を行う。図８は、本発明のその他の実施形態によるかつら用毛髪の加工方法のフローチャートである。図９は、その他の実施形態によるかつら用毛髪の加工方法において、人毛の端部の領域にテーパ部を形成する方法を図示した図面である。
【００４９】  図８に示すように、本実施形態によるかつら用毛髪の加工方法では、上記の実施形態と同様に、化学処理段階Ｓ１１０及び切断段階１２０を含む。なお、上記の実施形態と同様に、化学処理段階Ｓ１１０は、実施する場合も実施しない場合もあり得る。  一方、本実施形態では、上記の実施形態に含まれる整列段階Ｓ１３０から研磨段階Ｓ１５０までの段階の代わりに、切断された複数の人毛からなる毛束を筆状に配置して固定する毛束固定段階Ｓ１６０、及び筆状の毛束を研磨する毛束研磨段階Ｓ１７０を含む点で異なる。
【００５０】  図９（ａ）に示すように、毛束固定段階Ｓ１６０では、切断された複数の人毛（１）のブレンド時に、複数の人毛（１）からなる毛束（５）を形成し、毛束（５）において、筆の穂先のように、中央が凸となった略対称な曲線形状を有するように人毛（１）を配置して固定する。固定方法としては、例えば、円筒状の毛束の周囲にテープ等を強く巻いてテープを固定することにより実現できる。
【００５１】  次に、図９（ｂ）に示すように、毛束研磨段階Ｓ１７０では、回転する研磨ローラ（４ａ）に筆状の毛束（５）の先端を当て、毛束（５）を回転させながら満遍なく毛先の角を削る。これにより、図９（ｃ）に示すように、毛束（５）を構成する１本ずつの毛（１）において、丸い毛先を形成することができる。これにより、かつらに適用する際に自然な頭髪の形態を有した髪の毛の演出を可能にする。
【００５２】（かつらの製造方法）  上記のような本発明の一実施形態またはその他の実施形態によるかつら用毛髪の加工方法を用いたかつら（１０）の製造方法は、毛髪の加工方法と、植毛段階を含むことができる。
【００５３】  毛髪の加工段階は、人の髪の毛である人毛（１）を加工することができる。
【００５４】  さらに具体的には、毛髪の加工段階は、人毛（１）を既に設定された長さに切断する切断段階（Ｓ１２０）と、切断された複数の人毛（１）を広げて一列に配列させる整列段階（Ｓ１３０）と、人毛（１）が離脱しないように、配列された複数の人毛（１）を固定パッド（３）に取付けて固定させる固定段階（Ｓ１４０）と、人毛（１）の両側部に端部に行くほど細くなるテーパ部（１ａ）を備えるように、研磨ローラ（４ａ）を備えた研磨部材（４）を用いて人毛（１）の側部がとがるように研磨する研磨段階（Ｓ１５０）と、を含むことができる。
【００５５】  または、毛髪の加工段階は、人毛（１）を既に設定された長さに切断する切断段階（Ｓ１２０）と、切断された複数の人毛（１）からなる毛束（５）において、筆の穂先のように、中央が凸となった略対称な曲線形状を有するように人毛（１）配置して固定する毛束固定段階Ｓ１６０と、回転する研磨ローラ（４ａ）に筆状の毛束（５）の先端を当て、毛束（５）を回転させながら満遍なく毛先の角を削る毛束研磨段階Ｓ１７０と、を含むことができる。
【００５６】  植毛段階は、着用者の頭上を包むベース部（２０）に、毛髪の加工段階で加工された人毛（１）を植毛することができる。
【００５７】  例えば、図１０に図示された実施形態を参照すると、ベース部（２０）は、ネット網（２１）と、スキン網（２３）と、パッチ部（２５）と、を含むことができる。ネット網（２１）はネット形態に形成されることができ、頭上の大部分を包み込むように備えられることができる。スキン網（２３）は人の皮膚と類似した色と材質からなることができ、着用者の額部分に備えられることができる。パッチ部（２５）は端に備えられて、ベース部（２０）を着用者の頭に取付けさせることができる。
【００５８】  ここで、上記した毛髪の加工段階において加工されて端部がとがった人毛（１）は、ネット網（２１）が取り付けられることもできるが（図８の（ｂ）参照）、スキン網（２３）（図８の（ａ）参照）とパッチ部（２５）（図８の（ｃ）参照）と同じ端に植毛されて、かつら（１０）全体の自然さを演出することができる。
【００５９】  このように本発明の一実施形態またはその他の実施形態によるかつら用毛髪の加工方法によると、人の髪の毛である人毛を人為的に加工して、終端に行くほどとがった髪の毛を製作することができる。これによって実際の人の髪の毛に近い形態の毛髪を除去することにより、かつらに適用する際に自然な頭髪の形態を有した髪の毛の演出を可能にすることができる。また、人毛を研磨する前に、人毛を化学処理して毛表皮を除去することにより、自然な毛を演出することができる。
【００６０】  また、研磨段階では一列に配列されて固定された人毛を多様な角度で研磨して、前、後ろ、上、下側が均一に研磨されるようにする、または筆状の毛束を回しながらその先端を研磨することにより、自然な毛の形態に加工することができる。
【００６１】  以上、本発明の特定の実施形態に対し詳述したが、本発明の思想及び範囲はこのような特定の実施形態に限定されるわけではなく、本発明が属する技術分野で通常の知識を有した者によって、特許請求範囲に記載された本発明の要旨を変更しない範囲内で多様に修正及び変形が可能である。
【符号の説明】
【００６２】１：人毛１ａ：テーパ部２：切断部材３：固定パッド３ａ：前面部３ｂ：後面部４：研磨部材４ａ：研磨ローラ５：毛束  １０：かつら２０：ベース部２１：ネット網２３：スキン網２５：パッチ部
【図１】
0006503511.tif 000002
【図２】
0006503511.tif 000003
【図３】
0006503511.tif 000004
【図４】
0006503511.tif 000005
【図５】
0006503511.tif 000006
【図６】
0006503511.tif 000007
【図７】
0006503511.tif 000008
【図８】
0006503511.tif 000009
【図９】
0006503511.tif 000010
【図１０】
0006503511.tif 000011